(57)【要約】【目的】高画質な映像信号を長時間録画することが可能な情報記録再生装置を提供することを目的とする。【解決手段】入力映像信号によって表される画像フレームを複数の領域に区分けし、各領域毎に入力映像信号を分割して夫々個別に圧縮符号化したものを記録媒体に記録する。よって、分割された映像信号の各々は低解像度となり、かかる映像信号を処理対象とする圧縮符号器としては、ＭＰＥＧ２方式よりも高圧縮化が可能なＭＰＥＧ４符号器を用いることが可能となる。これにより、高画質な映像信号の長時間録画が為されるようになる。【選択図】  図１
2004214861.tif 000002
【特許請求の範囲】
【請求項１】
映像信号を記録媒体に記録しこれを再生する情報記録再生装置であって、
前記映像信号によって表される画像フレームの各々を複数の分割領域に区分けした際の前記分割領域毎に対応して前記映像信号を分割して分割映像信号を夫々得る画像領域分割手段と、
前記分割映像信号の各々に対して個別に圧縮符号化処理を施して分割圧縮映像信号を夫々得る複数の圧縮符号器と、
前記分割圧縮映像信号の各々を前記記録媒体に記録する記録手段と、を有することを特徴とする情報記録再生装置。
【請求項２】
前記記録媒体に記録されている前記分割圧縮映像信号の各々を再生する再生手段と、
前記再生手段によって再生された前記分割圧縮映像信号各々に対して圧縮復号化処理を施すことにより前記分割映像信号各々を復元する複数の圧縮復号器と、
前記圧縮復号器によって復元された前記分割映像信号の各々を連結して得られた映像信号を再生映像信号として出力する連結手段と、を更に備えたことを特徴とする請求項１記載の情報記録再生装置。
【請求項３】
映像信号を記録媒体に記録しこれを再生する情報記録再生装置であって、
前記映像信号によって表される画像フレームの各々を複数の分割領域に区分けした際の前記分割領域毎に対応して前記映像信号を分割して分割映像信号を夫々得る画像領域分割手段と、
前記分割映像信号の各々に対して個別に圧縮符号化処理を施して分割圧縮映像信号を夫々得る複数の圧縮符号器と、
前記分割圧縮映像信号の各々を前記記録媒体に記録する記録手段と、
前記記録媒体に記録されている前記分割圧縮映像信号の各々を再生する再生手段と、
前記再生手段によって再生された前記分割圧縮映像信号各々に対して圧縮復号化処理を施すことにより前記分割映像信号各々を復元する複数の圧縮復号器と、
前記圧縮復号器によって復元された前記分割映像信号の各々を連結して得られた映像信号を再生映像信号として出力する連結手段と、を有することを特徴とする情報記録再生装置。
【請求項４】
前記連結手段によって前記分割映像信号の各々を連結した際の連結部を滑らかにすべきフィルタリング処理を前記映像信号に対して施すフィルタを更に備えたことを特徴とする請求項３記載の情報記録再生装置。
【請求項５】
映像信号を記録媒体に記録しこれを再生する情報記録再生装置であって、
前記映像信号を互いに異なる複数の周波数帯域毎に分割して複数の分割映像信号を夫々得る画像周波数帯域分割手段と、
前記分割映像信号の各々に対して個別に圧縮符号化処理を施して分割圧縮映像信号を夫々得る複数の圧縮符号器と、
前記分割圧縮映像信号の各々を前記記録媒体に記録する記録手段と、を有することを特徴とする情報記録再生装置。
【請求項６】
前記分割圧縮映像信号の各々の解像度を低下させる低解像度化手段を更に備えたことを特徴とする請求項５記載の情報記録再生装置。
【請求項７】
前記周波数帯域の各々は、前記映像信号によって表される画像フレームの水平方向の周波数及び垂直方向の周波数に基づいて区分けされていることを特徴とする請求項５記載の情報記録再生装置。
【請求項８】
前記記録媒体に記録されている前記分割圧縮映像信号の各々を再生する再生手段と、
前記再生手段によって再生された前記分割圧縮映像信号各々に対して圧縮復号化処理を施すことにより前記分割映像信号各々を復元する複数の圧縮復号器と、
前記圧縮復号器によって復元された前記分割映像信号の各々を合成して得られた映像信号を再生映像信号として出力する合成手段と、を更に備えたことを特徴とする請求項５記載の情報記録再生装置。
【請求項９】
前記分割圧縮映像信号の各々の解像度を増加させる高解像度化手段を更に備えたことを特徴とする請求項８記載の情報記録再生装置。
【請求項１０】
映像信号を記録媒体に記録しこれを再生する情報記録再生装置であって、
前記映像信号を互いに異なる複数の周波数帯域毎に分割して複数の分割映像信号を夫々得る画像周波数帯域分割手段と、
前記分割映像信号の各々に対して個別に圧縮符号化処理を施して分割圧縮映像信号を夫々得る複数の圧縮符号器と、
前記分割圧縮映像信号の各々を前記記録媒体に記録する記録手段と、
前記記録媒体に記録されている前記分割圧縮映像信号の各々を再生する再生手段と、
前記再生手段によって再生された前記分割圧縮映像信号各々に対して圧縮復号化処理を施すことにより前記分割映像信号各々を復元する複数の圧縮復号器と、
前記圧縮復号器によって復元された前記分割映像信号の各々を合成して得られた映像信号を再生映像信号として出力する合成手段と、を有することを特徴とする情報記録再生装置。
【発明の詳細な説明】
【０００１】
【発明の属する技術分野】
本発明は、情報データを圧縮符号化して記録媒体に記録しこれを再生する情報記録再生装置に関する。
【０００２】
【背景技術】
現在、ディジタルテレビジョン放送として、高画質なＨＤＴＶ（Ｈｉｇｈ  Ｄｅｆｉｎｉｔｉｏｎ  Ｔｅｌｅｖｉｓｉｏｎ）放送、及び標準画質のＳＤＴＶ（Ｓｔａｎｄａｒｄ  Ｄｅｆｉｎｉｔｉｏｎ  Ｔｅｌｅｖｉｓｉｏｎ）放送が実施されている。更に、このような放送を受信して得られたハイビジョン映像信号又は標準映像信号を圧縮符号化して記録ディスク等の記録媒体に記録する録画装置が製品化されている。ハイビジョン映像信号又は標準映像信号を圧縮符号化する方式として、ＭＰＥＧ（Ｍｏｖｉｎｇ  Ｐｉｃｔｕｒｅ  Ｅｘｐｅｒｔｓ  Ｇｒｏｕｐ）２が採用されている。ところが、長時間のハイビジョン番組に関しては、例えＭＰＥＧ２に基づく圧縮符号化処理を施してもこれを１枚の記録ディスクに記録しきれない場合があった。尚、ＭＰＥＧ２よりも高圧縮符号化が可能な規格としてＭＰＥＧ４が知られているが、現在、ハイビジョン映像信号を圧縮符号化できるＭＰＥＧ４符号器は存在しない。
【０００３】
【発明が解決しようとする課題】
本発明は、かかる問題点を解決すべく為されたものであり、高画質な映像信号を長時間録画することが可能な情報記録再生装置を提供することを目的とする。
【０００４】
【課題を解決するための手段】
請求項１記載による情報記録再生装置は、映像信号を記録媒体に記録しこれを再生する情報記録再生装置であって、前記映像信号によって表される画像フレームの各々を複数の分割領域に区分けした際の前記分割領域毎に対応して前記映像信号を分割して分割映像信号を夫々得る画像領域分割手段と、前記分割映像信号の各々に対して個別に圧縮符号化処理を施して分割圧縮映像信号を夫々得る複数の圧縮符号器と、前記分割圧縮映像信号の各々を前記記録媒体に記録する記録手段と、を有する。
【０００５】
又、請求項３記載による情報記録再生装置は、映像信号を記録媒体に記録しこれを再生する情報記録再生装置であって、前記映像信号によって表される画像フレームの各々を複数の分割領域に区分けした際の前記分割領域毎に対応して前記映像信号を分割して分割映像信号を夫々得る画像領域分割手段と、前記分割映像信号の各々に対して個別に圧縮符号化処理を施して分割圧縮映像信号を夫々得る複数の圧縮符号器と、前記分割圧縮映像信号の各々を前記記録媒体に記録する記録手段と、前記記録媒体に記録されている前記分割圧縮映像信号の各々を再生する再生手段と、前記再生手段によって再生された前記分割圧縮映像信号各々に対して圧縮復号化処理を施すことにより前記分割映像信号各々を復元する複数の圧縮復号器と、前記圧縮復号器によって復元された前記分割映像信号の各々を連結して得られた映像信号を再生映像信号として出力する連結手段と、を有する。
【０００６】
又、請求項５記載による情報記録再生装置は、映像信号を記録媒体に記録しこれを再生する情報記録再生装置であって、前記映像信号を互いに異なる複数の周波数帯域毎に分割して複数の分割映像信号を夫々得る画像周波数帯域分割手段と、前記分割映像信号の各々に対して個別に圧縮符号化処理を施して分割圧縮映像信号を夫々得る複数の圧縮符号器と、前記分割圧縮映像信号の各々を前記記録媒体に記録する記録手段と、を有する。
【０００７】
又、請求項１０記載による情報記録再生装置は、映像信号を記録媒体に記録しこれを再生する情報記録再生装置であって、前記映像信号を互いに異なる複数の周波数帯域毎に分割して複数の分割映像信号を夫々得る画像周波数帯域分割手段と、前記分割映像信号の各々に対して個別に圧縮符号化処理を施して分割圧縮映像信号を夫々得る複数の圧縮符号器と、前記分割圧縮映像信号の各々を前記記録媒体に記録する記録手段と、前記記録媒体に記録されている前記分割圧縮映像信号の各々を再生する再生手段と、前記再生手段によって再生された前記分割圧縮映像信号各々に対して圧縮復号化処理を施すことにより前記分割映像信号各々を復元する複数の圧縮復号器と、前記圧縮復号器によって復元された前記分割映像信号の各々を合成して得られた映像信号を再生映像信号として出力する合成手段と、を有する。
【０００８】
【発明の実施の形態】
以下に本発明の実施例を図面を参照しつつ詳細に説明する。
図１は、本発明による情報記録再生装置の構成を示す図である。
図１において、ＬＰＦ（ｌｏｗ  ｐａｓｓ  ｆｉｌｔｅｒ）１は、例えば図２（ａ）の如き１９２０画素（水平）×１０８０画素（垂直）なる解像度を有するディジタルハイビジョン映像信号に対してそのレベル推移を滑らかにすべきフィルタリング処理を施して得られた映像信号ＶＳを解像度変換回路２に供給する。つまり、ＬＰＦ１は、後述する画像領域分割回路３にて分割された映像信号ＤＶａ〜ＤＶｃ各々を連結して１つの画像フレームに対応した映像信号を生成する際に、互いに水平方向にて隣接した分割領域に対応した映像信号同士の連結部分を滑らかにすべきフィルタリング処理を予め入力映像信号に施しておくのである。
【０００９】
解像度変換回路２は、図２（ａ）に示す如き１９２０画素（水平）×１０８０画素（垂直）なる解像度を有する上記映像信号ＶＳを図２（ｂ）に示す如き１４４０画素（水平）×９６０画素（垂直）なる解像度に変換して得られた映像信号ＶＳＤを画像領域分割回路３に供給する。尚、解像度変換回路２は、例えばＦＩＲ（Ｆｉｎｉｔｅ  Ｉｍｐｕｌｓｅ  Ｒｅｓｐｏｎｃｅ）ディジタルフィルタ等からなる。
【００１０】
画像領域分割回路３は、図２（ｂ）の如き１４４０画素（水平）×９６０画素（垂直）なる画像フレームを４つの分割領域Ｅａ〜Ｅｄに区分し、これら分割領域Ｅａ〜Ｅｄを夫々独立した画像フレームと見なして上記映像信号ＶＳＤを分割領域Ｅａ〜Ｅｄ各々に対応した４つの映像信号ＤＶａ〜ＤＶｄに分割する。すなわち、画像領域分割回路３は、先ず、上記映像信号ＶＳＤから上記分割領域Ｅａに対応した映像信号を抽出し、この映像信号における分割領域Ｅａ内での１表示ライン分毎に水平同期信号、１フレーム毎に垂直同期信号を夫々付加することにより映像信号ＤＶａを生成する。次に、画像領域分割回路３は、上記映像信号ＶＳＤから上記分割領域Ｅｂに対応した映像信号を抽出し、この映像信号における分割領域Ｅｂ内での１表示ライン分毎に水平同期信号、１フレーム毎に垂直同期信号を夫々付加することにより映像信号ＤＶｂを生成する。次に、画像領域分割回路３は、上記映像信号ＶＳＤから上記分割領域Ｅｃに対応した映像信号を抽出し、この映像信号における分割領域Ｅｃ内での１表示ライン分毎に水平同期信号、１フレーム毎に垂直同期信号を夫々付加することにより映像信号ＤＶｃを生成する。次に、画像領域分割回路３は、上記映像信号ＶＳＤから上記分割領域Ｅｄに対応した映像信号を抽出し、この映像信号における分割領域Ｅｄ内での１表示ライン分毎に水平同期信号、１フレーム毎に垂直同期信号を夫々付加することにより映像信号ＤＶｄを生成する。そして、画像領域分割回路３は、分割領域Ｅａに対応した映像信号ＤＶａをメモリ４ａ、分割領域Ｅｂに対応した映像信号ＤＶｂをメモリ４ｂ、分割領域Ｅｃに対応した映像信号ＤＶｃをメモリ４ｃ、分割領域Ｅｄに対応した映像信号ＤＶｄをメモリ４ｄに夫々供給する。尚、かかる画像領域分割回路３によって分割された結果、映像信号ＤＶａ〜ＤＶｄ各々の解像度は、後述する圧縮符号器５ａ〜５ｄにて処理可能な解像度である７２０画素（水平）×４８０画素（垂直）となる。
【００１１】
メモリ４ａ〜４ｄは、画像領域分割回路３から供給された映像信号ＤＶａ〜ＤＶｄを個別に取り込む。メモリ４ａは、分割領域Ｅａに対応した７２０画素（水平）×４８０画素（垂直）分の映像信号ＤＶａの取り込みが終了する度に、取り込んだ順に映像信号ＤＶａを順次読み出してこれを圧縮符号器５ａに供給する。メモリ４ｂは、分割領域Ｅｂに対応した７２０画素（水平）×４８０画素（垂直）分の映像信号ＤＶｂの取り込みが終了する度に、取り込んだ順に映像信号ＤＶｂを順次読み出してこれを圧縮符号器５ｂに供給する。メモリ４ｃは、分割領域Ｅｃに対応した７２０画素（水平）×４８０画素（垂直）分の映像信号ＤＶｃの取り込みが終了する度に、取り込んだ順に映像信号ＤＶｃを順次読み出してこれを圧縮符号器５ｃに供給する。メモリ４ｄは、分割領域Ｅｄに対応した７２０画素（水平）×４８０画素（垂直）分の映像信号ＤＶｄの取り込みが終了する度に、取り込んだ順に映像信号ＤＶｄを順次読み出してこれを圧縮符号器５ｄに供給する。
【００１２】
圧縮符号器５ａ〜５ｄ各々は、例えば、７２０画素（水平）×４８０画素（垂直）の解像度を有する、いわゆる標準画質の映像信号をＭＰＥＧ（Ｍｏｖｉｎｇ  Ｐｉｃｔｕｒｅ  Ｅｘｐｅｒｔｓ  Ｇｒｏｕｐ）４方式に従って圧縮符号化する符号器である。圧縮符号器５ａは、図２（ｂ）に示す如き分割領域Ｅａに対応した映像信号ＤＶａをＭＰＥＧ４方式に従って圧縮符号化して得られた圧縮映像信号に、分割領域Ｅａを示す領域識別信号を付加したものを分割圧縮映像信号ＰＶａとして多重化回路６に供給する。圧縮符号器５ｂは、分割領域Ｅｂに対応した映像信号ＤＶｂをＭＰＥＧ４方式に従って圧縮符号化して得られた圧縮映像信号に、分割領域Ｅｂを示す領域識別信号を付加したものを分割圧縮映像信号ＰＶｂとして多重化回路６に供給する。圧縮符号器５ｃは、分割領域Ｅｃに対応した映像信号ＤＶｃをＭＰＥＧ４方式に従って圧縮符号化して得られた圧縮映像信号に、分割領域Ｅｃを示す領域識別信号を付加したものを分割圧縮映像信号ＰＶｃとして多重化回路６に供給する。圧縮符号器５ｄは、分割領域Ｅｄに対応した映像信号ＤＶｄをＭＰＥＧ４方式に従って圧縮符号化して得られた圧縮映像信号に、分割領域Ｅｄを示す領域識別信号を付加したものを分割圧縮映像信号ＰＶｄとして多重化回路６に供給する。
【００１３】
多重化回路６は、上記分割圧縮映像信号ＰＶａ〜ＰＶｄを時分割多重化して得られた多重化映像信号ＶＭを記録再生ユニット７に供給する。記録再生ユニット７は、かかる多重化映像信号ＶＭを記録媒体８に記録する。又、記録再生ユニット７は、記録媒体８に記録されている上記多重化映像信号ＶＭを再生し、これを多重分離回路９に供給する。
【００１４】
多重分離回路９は、記録媒体８から再生された多重化映像信号ＶＭを分割圧縮映像信号ＰＶａ〜ＰＶｄ各々に分離する。この際、多重分離回路９は、分割圧縮映像信号ＰＶａ〜ＰＶｄ各々に付加されている上記領域識別信号に基づき、分割圧縮映像信号ＰＶａ〜ＰＶｄ各々を識別する。そして、多重分離回路９は、分割圧縮映像信号ＰＶａを圧縮復号器１０ａ、分割圧縮映像信号ＰＶｂを圧縮復号器１０ｂ、分割圧縮映像信号ＰＶｃを圧縮復号器１０ｃ、分割圧縮映像信号ＰＶｄを圧縮復号器１０ｄに夫々供給する。
【００１５】
圧縮復号器１０ａ〜１０ｄ各々は、上記圧縮符号器５ａ〜５ｄに対する例えばＭＰＥＧ４方式に基づく復号器である。圧縮復号器１０ａは、分割圧縮映像信号ＰＶａに対して圧縮復号処理を施して得られた映像信号ＤＶａをメモリ１１ａに供給する。圧縮復号器１０ｂは、分割圧縮映像信号ＰＶｂに対して圧縮復号処理を施して得られた映像信号ＤＶｂをメモリ１１ｂに供給する。圧縮復号器１０ｃは、分割圧縮映像信号ＰＶｃに対して圧縮復号処理を施して得られた映像信号ＤＶｃをメモリ１１ｃに供給する。圧縮復号器１０ｄは、分割圧縮映像信号ＰＶｄに対して圧縮復号処理を施して得られた映像信号ＤＶｄをメモリ１１ｄに供給する。
【００１６】
メモリ１１ａ〜１１ｄは、圧縮復号器１０ａ〜１０ｄ各々から供給された映像信号ＤＶａ〜ＤＶｄを個別に取り込む。メモリ１１ａは、図２（ｂ）に示す如き分割領域Ｅａに対応した７２０画素（水平）×４８０画素（垂直）分の映像信号ＤＶａの取り込みが終了する度に、取り込んだ順に映像信号ＤＶａを順次読み出してこれを画像連結回路１２に供給する。メモリ１１ｂは、図２（ｂ）に示す如き分割領域Ｅｂに対応した７２０画素（水平）×４８０画素（垂直）分の映像信号ＤＶｂの取り込みが終了する度に、取り込んだ順に映像信号ＤＶｂを順次読み出してこれを画像連結回路１２に供給する。メモリ１１ｃは、図２（ｂ）に示す如き分割領域Ｅｃに対応した７２０画素（水平）×４８０画素（垂直）分の映像信号ＤＶｃの取り込みが終了する度に、取り込んだ順に映像信号ＤＶｃを順次読み出してこれを画像連結回路１２に供給する。メモリ１１ｄは、図２（ｂ）に示す如き分割領域Ｅｄに対応した７２０画素（水平）×４８０画素（垂直）分の映像信号ＤＶｄの取り込みが終了する度に、取り込んだ順に映像信号ＤＶｄを順次読み出してこれを画像連結回路１２に供給する。
【００１７】
画像連結回路１２は、先ず、図２（ｂ）に示す如き分割領域Ｅａに対応した７２０画素（水平）×４８０画素（垂直）分の映像信号ＤＶａと、分割領域Ｅｂに対応した７２０画素（水平）×４８０画素（垂直）分の映像信号ＤＶｂとを連結する。すなわち、映像信号ＤＶａ及びＤＶｂにおける互いに同一表示ラインに対応したもの同士を連結することにより、１４４０画素（水平）×４８０画素（垂直）なる１画像フレームの上半分の画像を担う映像信号を生成するのである。次に、画像連結回路１２は、図２（ｂ）の分割領域Ｅｃに対応した７２０画素（水平）×４８０画素（垂直）分の映像信号ＤＶｃと、分割領域Ｅｄに対応した７２０画素（水平）×４８０画素（垂直）分の映像信号ＤＶｄとを連結する。すなわち、映像信号ＤＶｃ及びＤＶｄにおける互いに同一表示ラインに対応したもの同士を連結することにより、１４４０画素（水平）×４８０画素（垂直）なる１画像フレームの下半分の画像を担う映像信号を生成するのである。そして、画像連結回路１２は、上述した如く求めた画像フレームの上半分の画像を担う映像信号に、下半分の画像を担う映像信号を連結することにより、１４４０画素（水平）×９６０画素（垂直）なる解像度を有する映像信号ＶＳＤを生成し、これを解像度変換回路１３に供給する。
【００１８】
解像度変換回路１３は、かかる映像信号ＶＳＤを１９２０画素（水平）×１０８０画素（垂直）なる解像度を有する映像信号に変換して得られた映像信号ＶＳをＬＰＦ（ｌｏｗ  ｐａｓｓ  ｆｉｌｔｅｒ）１４に供給する。ＬＰＦ１４は、かかる映像信号ＶＳに対してそのレベル推移を滑らかにすべきフィルタリング処理を施して得られた映像信号をハイビジョンの再生映像信号として出力する。
【００１９】
以上の如く、図１に示す情報記録再生装置では、入力映像信号によって表される画像フレームを複数の領域に区分けし、各領域毎に入力映像信号を分割して夫々個別に圧縮符号化したものを記録媒体に記録するようにしている。そして、かかる記録媒体から記録情報を再生する際には、再生された圧縮映像信号の各々に対して個別に復号化処理を施し、これらを連結することにより元の入力映像信号を復元するようにしている。
【００２０】
よって、画像１フレーム内の複数の領域毎に分割して得られた映像信号の各々は低解像度となるので、かかる映像信号を処理対象とする圧縮符号器としては、ＭＰＥＧ２方式よりも高圧縮化が可能なＭＰＥＧ４符号器を用いることが可能となる。これにより、高画質な映像信号の長時間録画が為されるようになるのである。
【００２１】
ここで、分割領域毎の映像信号を夫々個別に圧縮符号化すると、本来、１つの画像フレームを担う映像信号であるにも拘わらず互いの相関が失われてしまう。従って、各分割領域毎に圧縮符号化された圧縮映像信号各々を連結して得られた映像信号に基づいて画像表示を行うと、不自然な画像が表示される。そこで、図１に示される情報記録再生装置においては、ＬＰＦ１により、互いに水平方向に隣接した分割領域に対応した映像信号同士の連結部分を滑らかにすべきフィルタリング処理を入力映像信号に対して施すようにしている。
【００２２】
又、上記実施例においては、各圧縮符号器が処理対象とする映像信号の解像度を低下させるべく、図２（ｂ）に示す如き４つの分割領域毎に入力映像信号を分割するようにしているが、入力映像信号をその周波数帯域毎に分割するようにしても良い。
図３は、かかる点に鑑みて為された情報記録再生装置の他の構成を示す図である。
【００２３】
図３において、解像度変換回路２０は、１９２０画素（水平）×１０８０画素（垂直）なる解像度を有する入力映像信号を１４４０画素（水平）×９６０画素（垂直）なる解像度に変換して得られた映像信号ＶＳＤを水平方向ＬＰＦ（ｌｏｗ  ｐａｓｓ  ｆｉｌｔｅｒ）２１及び水平方向ＨＰＦ（ｈｉｇｈ  ｐａｓｓ  ｆｉｌｔｅｒ）２２に供給する。尚、上記入力映像信号は、サンプリング周波数ｆｓにて映像信号を１９２０画素（水平）×１０８０画素（垂直）なる１画面分の各画素に対応した画素データに変換して得られたディジタルハイビジョン映像信号である。
【００２４】
水平方向ＬＰＦ２１は、上記映像信号ＶＳＤ中から所定周波数ｆＴよりも低域成分を抽出し、これを映像信号ＶＬとしてダウンサンプリング回路２３に供給する。ダウンサンプリング回路２３は、上記映像信号ＶＬを上記サンプリング周波数ｆｓの１／２の周波数でダウンサンプリングして得られた映像信号ＶＤＬを生成し、これを垂直変換メモリ２４に供給する。すなわち、ダウンサンプリング回路２３は、映像信号ＶＳＤによって表される画像の水平方向における解像度のみを１４４０画素から７２０画素に半減させた、７２０画素（水平）×９６０画素（垂直）なる解像度の映像信号ＶＤＬを垂直変換メモリ２４に供給するのである。
【００２５】
水平方向ＨＰＦ２２は、上記映像信号ＶＳＤ中から所定周波数ｆＴよりも高域成分を抽出し、これを映像信号ＶＨとしてダウンサンプリング回路２５に供給する。  ダウンサンプリング回路２５は、上記映像信号ＶＨを上記サンプリング周波数ｆｓの１／２の周波数でダウンサンプリングして得られた映像信号ＶＤＨを生成し、これを垂直変換メモリ２６に供給する。すなわち、ダウンサンプリング回路２５は、画像の水平方向における解像度のみを１４４０画素から７２０画素に半減させた、７２０画素（水平）×９６０画素（垂直）なる解像度を有する映像信号ＶＤＨを垂直変換メモリ２６に供給するのである。
【００２６】
垂直変換メモリ２４は、上記ダウンサンプリング回路２３から供給された映像信号ＶＤＬを図４に示す如き１画面内の各画素Ｇの位置に対応させて記憶する。ここで、１画像フレーム分、つまり７２０画素（水平）×９６０画素（垂直）分の映像信号ＶＤＬが記憶される度に、垂直変換メモリ２４は、各画素に対応した映像信号ＶＤＬを図４に示す垂直方向において順次読み出す。例えば、垂直変換メモリ２４は、先ず、図４に示す第１列に属する画素Ｇ（１，１）、Ｇ（２，１）、・・・、Ｇ（９６０，１）各々に対応した映像信号ＶＤＬを順次読み出す。次に、垂直変換メモリ２４は、図４に示す第２列に属する画素Ｇ（１，２）、Ｇ（２，２）、・・・、Ｇ（９６０，２）各々に対応した映像信号ＶＤＬを順次読み出す。それ以降、同様にして垂直変換メモリ２４は、図４に示す第３列〜第７２０列各々に属する各画素に対応した映像信号ＶＤＬを垂直方向に順次読み出すのである。垂直変換メモリ２４は、上述した如く垂直方向において順次読み出した映像信号ＶＤＬを垂直方向ＬＰＦ（ｌｏｗ  ｐａｓｓ  ｆｉｌｔｅｒ）２７及び垂直方向ＨＰＦ（ｈｉｇｈ  ｐａｓｓ  ｆｉｌｔｅｒ）２８に供給する。
【００２７】
垂直方向ＬＰＦ２７は、上記垂直変換メモリ２４から読み出された映像信号中から所定周波数ｆＴよりも低域成分を抽出し、これを映像信号ＶＤＬＬとして得る。すなわち、映像信号ＶＤＬＬは、図６に示す如き、入力映像信号における画像の水平方向に対する周波数並びに垂直方向に対する周波数が共に所定周波数ｆＴより低い周波数帯域ｆＬＬに属する映像信号成分である。垂直方向ＬＰＦ２７は、かかる映像信号ＶＤＬＬをダウンサンプリング回路３１ａに供給する。
【００２８】
垂直方向ＨＰＦ２８は、上記垂直変換メモリ２４から読み出された映像信号中から所定周波数ｆＴよりも高域成分を抽出し、これを映像信号ＶＤＬＨとして得る。すなわち、映像信号ＶＤＬＨは、図６に示す如き、入力映像信号における画像の水平方向に対する周波数が所定周波数ｆＴより低く且つ垂直方向に対する周波数が所定周波数ｆＴより高い周波数帯域ｆＬＨに属する映像信号成分である。垂直方向ＨＰＦ２８は、かかる映像信号ＶＤＬＨをダウンサンプリング回路３１ｂに供給する。
【００２９】
垂直変換メモリ２６は、上記ダウンサンプリング回路２５から供給された映像信号ＶＤＨを図４に示す如き１画面内の各画素Ｇの位置に対応させて記憶する。ここで、１画像フレーム分、つまり７２０画素（水平）×９６０画素（垂直）分の映像信号ＶＤＨが記憶される度に、垂直変換メモリ２６は、上記垂直変換メモリ２４と同様に各画素に対応した映像信号ＶＤＨを図４に示す垂直方向において順次読み出す。垂直変換メモリ２６は、上述した如く垂直方向において順次読み出した映像信号ＶＤＨを垂直方向ＬＰＦ（ｌｏｗ  ｐａｓｓ  ｆｉｌｔｅｒ）２９及び垂直方向ＨＰＦ（ｈｉｇｈ  ｐａｓｓ  ｆｉｌｔｅｒ）３０に供給する。
【００３０】
垂直方向ＬＰＦ２９は、上記垂直変換メモリ２６から読み出された映像信号中から所定周波数ｆＴよりも低域成分を抽出し、これを映像信号ＶＤＨＬとして得る。すなわち、映像信号ＶＤＨＬは、図６に示す如き、入力映像信号における画像の水平方向に対する周波数が所定周波数ｆＴより高く且つ垂直方向に対する周波数が所定周波数ｆＴより低い周波数帯域ｆＨＬに属する映像信号成分である。垂直方向ＬＰＦ２９は、かかる映像信号ＶＤＨＬをダウンサンプリング回路３１ｃに供給する。
【００３１】
垂直方向ＨＰＦ３０は、上記垂直変換メモリ２６から読み出された映像信号中から所定周波数ｆＴよりも高域成分を抽出し、これを映像信号ＶＤＨＨとして得る。すなわち、映像信号ＶＤＨＨは、図６に示す如き、入力映像信号における画像の水平方向に対する周波数並びに垂直方向に対する周波数が共に所定周波数ｆＴより高い周波数帯域ｆＨＨに属する映像信号成分である。垂直方向ＨＰＦ３０は、かかる映像信号ＶＤＨＨをダウンサンプリング回路３１ｄに供給する。
【００３２】
ダウンサンプリング回路３１ａは、上記映像信号ＶＤＬＬを上記サンプリング周波数ｆｓの１／２の周波数でダウンサンプリングして得られた映像信号ＶＤＤＬＬを水平変換メモリ３２ａに供給する。すなわち、ダウンサンプリング回路３１ａは、画像の垂直方向における解像度を９６０画素から４８０画素に低下させた、７２０画素（水平）×４８０画素（垂直）なる解像度を有する映像信号ＶＤＤＬＬを水平変換メモリ３２ａに供給するのである。
【００３３】
ダウンサンプリング回路３１ｂは、上記映像信号ＶＤＬＨを上記サンプリング周波数ｆｓの１／２の周波数でダウンサンプリングして得られた映像信号ＶＤＤＬＨを水平変換メモリ３２ｂに供給する。すなわち、ダウンサンプリング回路３１ｂは、画像の垂直方向における解像度を９６０画素から４８０画素に低下させた、７２０画素（水平）×４８０画素（垂直）なる解像度を有する映像信号ＶＤＤＬＨを水平変換メモリ３２ｂに供給するのである。
【００３４】
ダウンサンプリング回路３１ｃは、上記映像信号ＶＤＨＬを上記サンプリング周波数ｆｓの１／２の周波数でダウンサンプリングして得られた映像信号ＶＤＤＨＬを水平変換メモリ３２ｃに供給する。すなわち、ダウンサンプリング回路３１ｃは、画像の垂直方向における解像度を９６０画素から４８０画素に低下させた、７２０画素（水平）×４８０画素（垂直）なる解像度を有する映像信号ＶＤＤＨＬを水平変換メモリ３２ｃに供給するのである。
【００３５】
ダウンサンプリング回路３１ｄは、上記映像信号ＶＤＨＨを上記サンプリング周波数ｆｓの１／２の周波数でダウンサンプリングして得られた映像信号ＶＤＤＨＨを水平変換メモリ３２ｄに供給する。すなわち、ダウンサンプリング回路３１ｄは、画像の垂直方向における解像度を９６０画素から４８０画素に低下させた、７２０画素（水平）×４８０画素（垂直）なる解像度を有する映像信号ＶＤＤＨＨを水平変換メモリ３２ｄに供給するのである。
【００３６】
水平変換メモリ３２ａは、上記ダウンサンプリング回路３１ａから供給された映像信号ＶＤＤＬＬを図５に示す如き１画面の各画素位置に対応させて記憶する。ここで、１画像フレーム分、つまり７２０画素（水平）×４８０画素（垂直）分の映像信号ＶＤＤＬＬが記憶される度に、水平変換メモリ３２ａは、各画素に対応した映像信号ＶＤＤＬＬを図５に示す水平方向において順次読み出す。例えば、水平変換メモリ３２ａは、先ず、図５に示す第１行に属する画素Ｇ（１，１）、Ｇ（１，２）、・・・、Ｇ（１，７２０）各々に対応した映像信号ＶＤＤＬＬを順次読み出す。次に、水平変換メモリ３２ａは、図５に示す第２行に属する画素Ｇ（２，１）、Ｇ（２，２）、・・・、Ｇ（２，７２０）各々に対応した映像信号ＶＤＤＬＬを順次読み出す。それ以降、同様にして水平変換メモリ３２ａは、図５に示す第３行〜第４８０行各々に属する各画素に対応した映像信号ＶＤＤＬＬを順次読み出すのである。水平変換メモリ３２ａは、図５に示す水平方向において順次読み出した映像信号ＶＤＤＬＬを映像信号ＶＬＬとして圧縮符号器５０ａに供給する。すなわち、図６に示す如き入力映像信号中の周波数帯域ｆＬＬに属する映像信号成分であり、且つ７２０画素（水平）×４８０画素（垂直）なる解像度を有する映像信号ＶＬＬが圧縮符号器５０ａに供給されるのである。
【００３７】
水平変換メモリ３２ｂは、上記ダウンサンプリング回路３１ｂから供給された映像信号ＶＤＤＬＨを図５に示す如き１画面の各画素位置に対応させて記憶する。ここで、１画像フレーム分、つまり７２０画素（水平）×４８０画素（垂直）分の映像信号ＶＤＤＬＨが記憶される度に、水平変換メモリ３２ｂは、各画素に対応した映像信号ＶＤＤＬＨを上記水平変換メモリ３２ａと同様に図５に示す水平方向において順次読み出す。水平変換メモリ３２ｂは、図５に示す水平方向において順次読み出した映像信号ＶＤＤＬＨを映像信号ＶＬＨとして圧縮符号器５０ｂに供給する。すなわち、図６に示す如き入力映像信号中の周波数帯域ｆＬＨに属する映像信号成分であり、且つ７２０画素（水平）×４８０画素（垂直）なる解像度を有する映像信号ＶＬＨが圧縮符号器５０ｂに供給されるのである。
【００３８】
水平変換メモリ３２ｃは、上記ダウンサンプリング回路３１ｃから供給された映像信号ＶＤＤＨＬを図５に示す如き１画面の各画素位置に対応させて記憶する。ここで、１画像フレーム分、つまり７２０画素（水平）×４８０画素（垂直）分の映像信号ＶＤＤＨＬが記憶される度に、水平変換メモリ３２ｃは、各画素に対応した映像信号ＶＤＤＨＬを上記水平変換メモリ３２ａと同様に図５に示す水平方向において順次読み出す。水平変換メモリ３２ｃは、図５に示す水平方向において順次読み出した映像信号ＶＤＤＨＬを映像信号ＶＨＬとして圧縮符号器５０ｃに供給する。すなわち、図６に示す如き入力映像信号中の周波数帯域ｆＨＬに属する映像信号成分であり、且つ７２０画素（水平）×４８０画素（垂直）なる解像度を有する映像信号ＶＨＬが圧縮符号器５０ｃに供給されるのである。
【００３９】
水平変換メモリ３２ｄは、上記ダウンサンプリング回路３１ｄから供給された映像信号ＶＤＤＨＨを図５に示す如き１画面の各画素位置に対応させて記憶する。ここで、１画像フレーム分、つまり７２０画素（水平）×４８０画素（垂直）分の映像信号ＶＤＤＨＨが記憶される度に、水平変換メモリ３２ｄは、各画素に対応した映像信号ＶＤＤＨＨを上記水平変換メモリ３２ａと同様に図５に示す水平方向において順次読み出す。水平変換メモリ３２ｄは、図５に示す水平方向において順次読み出した映像信号ＶＤＤＨＨを映像信号ＶＨＨとして圧縮符号器５０ｄに供給する。すなわち、図６に示す如き入力映像信号中の周波数帯域ｆＨＨに属する映像信号成分であり、且つ７２０画素（水平）×４８０画素（垂直）なる解像度を有する映像信号ＶＨＨが圧縮符号器５０ｄに供給されるのである。
【００４０】
圧縮符号器５０ａ〜５０ｄ各々は、例えば、７２０画素（水平）×４８０画素（垂直）の解像度を有する、いわゆる標準画質の映像信号をＭＰＥＧ（Ｍｏｖｉｎｇ  Ｐｉｃｔｕｒｅ  Ｅｘｐｅｒｔｓ  Ｇｒｏｕｐ）４方式に従って圧縮符号化する符号器である。圧縮符号器５０ａは、図６に示す如き周波数帯域ｆＬＬに属する７２０画素（水平）×４８０画素（垂直）の解像度を有する映像信号ＤＶＬＬをＭＰＥＧ４方式に従って圧縮符号化して得られた圧縮映像信号ＰＶＬＬを多重化回路６０に供給する。圧縮符号器５０ｂは、図６に示す如き周波数帯域ｆＬＨに属する７２０画素（水平）×４８０画素（垂直）の解像度を有する映像信号ＤＶＬＨをＭＰＥＧ４方式に従って圧縮符号化して得られた圧縮映像信号ＰＶＬＨを多重化回路６０に供給する。圧縮符号器５０ｃは、図６に示す如き周波数帯域ｆＨＬに属する７２０画素（水平）×４８０画素（垂直）の解像度を有する映像信号ＤＶＨＬをＭＰＥＧ４方式に従って圧縮符号化して得られた圧縮映像信号ＰＶＨＬを多重化回路６０に供給する。圧縮符号器５０ｄは、図６に示す如き周波数帯域ｆＨＨに属する７２０画素（水平）×４８０画素（垂直）の解像度を有する映像信号ＤＶＨＨをＭＰＥＧ４方式に従って圧縮符号化して得られた圧縮映像信号ＰＶＨＨを多重化回路６０に供給する。
【００４１】
多重化回路６０は、上記圧縮映像信号ＰＶＬＬ、ＰＶＬＨ、ＰＶＨＬ、及びＰＶＨＨを時分割多重化して得られた多重化映像信号ＶＭを記録再生ユニット７０に供給する。記録再生ユニット７０は、かかる多重化映像信号ＶＭを記録媒体８０に記録する。又、記録再生ユニット７０は、記録媒体８０に記録されている上記多重化映像信号ＶＭを再生し、これを多重分離回路９０に供給する。
【００４２】
多重分離回路９０は、記録媒体８０から再生された多重化映像信号ＶＭを上記圧縮映像信号ＰＶＬＬ、ＰＶＬＨ、ＰＶＨＬ、及びＰＶＨＨ各々に分離する。そして、多重分離回路９０は、圧縮映像信号ＰＶＬＬを圧縮復号器１００ａ、圧縮映像信号ＰＶＬＨを圧縮復号器１００ｂ、圧縮映像信号ＰＶＨＬを圧縮復号器１００ｃ、圧縮映像信号ＰＶＨＨを圧縮復号器１００ｄに夫々供給する。
【００４３】
圧縮復号器１００ａ〜１００ｄ各々は、上記圧縮符号器５０ａ〜５０ｄに対する例えばＭＰＥＧ４方式に基づく復号器である。圧縮復号器１００ａは、上記圧縮映像信号ＰＶＬＬに対して圧縮復号処理を施して復元した映像信号ＶＬＬを垂直変換メモリ１０１ａに供給する。圧縮復号器１００ｂは、上記圧縮映像信号ＰＶＬＨに対して圧縮復号処理を施して復元された映像信号ＶＬＨを垂直変換メモリ１０１ｂに供給する。圧縮復号器１００ｃは、上記圧縮映像信号ＰＶＨＬに対して圧縮復号処理を施して復元した映像信号ＶＨＬを垂直変換メモリ１０１ｃに供給する。圧縮復号器１００ｄは、上記圧縮映像信号ＰＶＨＨに対して圧縮復号処理を施して復元した映像信号ＶＨＨを垂直変換メモリ１０１ｄに供給する。
【００４４】
垂直変換メモリ１０１ａは、上記映像信号ＶＬＬを図５に示す如き１画面の各画素Ｇの位置に対応させて記憶する。ここで、１画像フレーム分、つまり７２０画素（水平）×４８０画素（垂直）分の映像信号ＶＬＬが記憶される度に、垂直変換メモリ１０１ａは、各画素に対応した映像信号ＶＬＬを図５に示す垂直方向において順次読み出し、これを補間フィルタ１０２ａに供給する。例えば、垂直変換メモリ１０１ａは、先ず、図５に示す第１列に属する画素Ｇ（１，１）、Ｇ（２，１）、・・・、Ｇ（４８０，１）各々に対応した映像信号ＶＬＬを順次読み出す。次に、垂直変換メモリ１０１ａは、図５に示す第２列に属する画素Ｇ（１，２）、Ｇ（２，２）、・・・、Ｇ（４８０，２）各々に対応した映像信号ＶＬＬを順次読み出す。それ以降、同様にして垂直変換メモリ１０１ａは、図５に示す第３列〜第４８０列各々に属する各画素に対応した映像信号ＶＬＬを垂直方向に順次読み出して補間フィルタ１０２ａに供給するのである。
【００４５】
補間フィルタ１０２ａは、垂直変換メモリ１０１ａから読み出された映像信号の２倍のサンプリング周波数にて、かかる映像信号の補間を行って得られた映像信号ＶＵＬＬをＬＰＦ（ｌｏｗ  ｐａｓｓ  ｆｉｌｔｅｒ）１０３に供給する。すなわち、補間フィルタ１０２ａは、画像の垂直方向における解像度を４８０画素から９６０画素に増加させた、７２０画素（水平）×９６０画素（垂直）なる解像度を有する映像信号ＶＵＬＬをＬＰＦ１０３に供給するのである。
【００４６】
垂直変換メモリ１０１ｂは、上記圧縮符号器１００ｂから供給された映像信号ＶＬＨを図５に示す如き１画面の各画素Ｇの位置に対応させて記憶する。ここで、１画像フレーム分、つまり７２０画素（水平）×４８０画素（垂直）分の映像信号ＶＬＨが記憶される度に、垂直変換メモリ１０１ｂは、各画素に対応した映像信号ＶＬＨを上記垂直変換メモリ１０１ａと同様に、図５に示す垂直方向において順次読み出し、これを補間フィルタ１０２ｂに供給する。
【００４７】
補間フィルタ１０２ｂは、垂直変換メモリ１０１ｂから読み出された映像信号の２倍のサンプリング周波数にて、かかる映像信号の補間を行って得られた映像信号ＶＵＬＨをＨＰＦ（ｈｉｇｈ  ｐａｓｓ  ｆｉｌｔｅｒ）１０４に供給する。すなわち、補間フィルタ１０２ｂは、画像の垂直方向における解像度を４８０画素から９６０画素に増加させた、７２０画素（水平）×９６０画素（垂直）なる解像度を有する映像信号ＶＵＬＨをＨＰＦ１０４に供給するのである。
【００４８】
垂直変換メモリ１０１ｃは、上記圧縮符号器１００ｃから供給された映像信号ＶＨＬを図５に示す如き１画面の各画素Ｇの位置に対応させて記憶する。ここで、１画像フレーム分、つまり７２０画素（水平）×４８０画素（垂直）分の映像信号ＶＨＬが記憶される度に、垂直変換メモリ１０１ｃは、各画素に対応した映像信号ＶＨＬを上記垂直変換メモリ１０１ａと同様に、図５に示す垂直方向において順次読み出し、これを補間フィルタ１０２ｃに供給する。
【００４９】
補間フィルタ１０２ｃは、垂直変換メモリ１０１ｃから読み出された映像信号の２倍のサンプリング周波数にて、かかる映像信号の補間を行って得られた映像信号ＶＵＨＬをＬＰＦ（ｌｏｗ  ｐａｓｓ  ｆｉｌｔｅｒ）１０５に供給する。すなわち、補間フィルタ１０２ｃは、画像の垂直方向における解像度を４８０画素から９６０画素に増加させた、７２０画素（水平）×９６０画素（垂直）なる解像度を有する映像信号ＶＵＨＬをＬＰＦ１０５に供給するのである。
【００５０】
垂直変換メモリ１０１ｄは、上記圧縮符号器１００ｄから供給された映像信号ＶＨＨを図５に示す如き１画面の各画素Ｇの位置に対応させて記憶する。ここで、１画像フレーム分、つまり７２０画素（水平）×４８０画素（垂直）分の映像信号ＶＨＨが記憶される度に、垂直変換メモリ１０１ｄは、各画素に対応した映像信号ＶＨＨを上記垂直変換メモリ１０１ａと同様に、図５に示す垂直方向において順次読み出し、これを補間フィルタ１０２ｄに供給する。
【００５１】
補間フィルタ１０２ｄは、垂直変換メモリ１０１ｄから読み出された映像信号の２倍のサンプリング周波数にて、かかる映像信号の補間を行って得られた映像信号ＶＵＨＨをＨＰＦ（ｈｉｇｈ  ｐａｓｓ  ｆｉｌｔｅｒ）１０６に供給する。すなわち、補間フィルタ１０２ｄは、画像の垂直方向における解像度を４８０画素から９６０画素に増加させた、７２０画素（水平）×９６０画素（垂直）なる解像度を有する映像信号ＶＵＨＨをＨＰＦ１０６に供給するのである。
【００５２】
ＬＰＦ１０３は、上記補間フィルタ１０２ａから供給された映像信号ＶＵＬＬに対してその折り返しノイズを低減させるべきフィルタリング処理を施して得られた映像信号を合成回路１０７に供給する。
ＨＰＦ１０４は、上記補間フィルタ１０２ｂから供給された映像信号ＶＵＬＨに対してその折り返しノイズを低減させるべきフィルタリング処理を施して得られた映像信号を合成回路１０７に供給する。
【００５３】
合成回路１０７は、ＬＰＦ１０３から供給された映像信号（図６に示す周波数帯域ｆＬＬに対応した映像信号）と、ＨＰＦ１０４から供給された映像信号（周波数帯域ｆＬＨに対応した映像信号）とを合成して得られた映像信号ＶＵＬを水平変換メモリ１０８に供給する。
ＬＰＦ１０５は、上記補間フィルタ１０２ｃから供給された映像信号ＶＵＨＬに対してその折り返しノイズを低減させるべきフィルタリング処理を施して得られた映像信号を合成回路１０９に供給する。
【００５４】
ＨＰＦ１０６は、上記補間フィルタ１０２ｄから供給された映像信号ＶＵＨＨに対してその折り返しノイズを低減させるべきフィルタリング処理を施して得られた映像信号を合成回路１０９に供給する。
合成回路１０９は、ＬＰＦ１０５から供給された映像信号（図６に示す周波数帯域ｆＬＨに対応した映像信号）と、ＨＰＦ１０６から供給された映像信号（周波数帯域ｆＨＨに対応した映像信号）とを合成して得られた映像信号ＶＵＨを水平変換メモリ１１０に供給する。
【００５５】
水平変換メモリ１０８は、合成回路１０７から供給された映像信号ＶＵＬを図４に示す如き１画面の各画素位置に対応させて記憶する。ここで、１画像フレーム分、つまり７２０画素（水平）×９６０画素（垂直）分の映像信号ＶＵＬが記憶される度に、水平変換メモリ１０８は、各画素に対応した映像信号ＶＵＬを図４に示す水平方向において順次読み出し、これを補間フィルタ１１１に供給する。例えば、水平変換メモリ１０８は、先ず、図４に示す第１行に属する画素Ｇ（１，１）、Ｇ（１，２）、・・・、Ｇ（１，７２０）各々に対応した映像信号ＶＵＬを順次読み出す。次に、水平変換メモリ１０８は、図４に示す第２行に属する画素Ｇ（２，１）、Ｇ（２，２）、・・・、Ｇ（２，７２０）各々に対応した映像信号ＶＵＬを順次読み出す。それ以降、同様にして水平変換メモリ１０８は、図４に示す第３行〜第９６０行各々に属する各画素に対応した映像信号ＶＵＬを順次読み出して補間フィルタ１１１に供給するのである。
【００５６】
補間フィルタ１１１は、水平変換メモリ１０８から読み出された映像信号の２倍のサンプリング周波数にて、かかる映像信号の補間を行って得られた映像信号ＶＬをＬＰＦ（ｌｏｗ  ｐａｓｓ  ｆｉｌｔｅｒ）１１２に供給する。すなわち、補間フィルタ１１１は、画像の水平方向における解像度を７２０画素から１４４０画素に増加させた、１４４０画素（水平）×９６０画素（垂直）なる解像度を有する映像信号ＶＬをＬＰＦ１１２に供給するのである。
【００５７】
水平変換メモリ１１０は、合成回路１０９から供給された映像信号ＶＵＨを図４に示す如き１画面の各画素位置に対応させて記憶する。ここで、１画像フレーム分、つまり７２０画素（水平）×９６０画素（垂直）分の映像信号ＶＵＨが記憶される度に、水平変換メモリ１１０は、各画素に対応した映像信号ＶＵＨを上記水平変換メモリ１０８と同様に図４に示す水平方向において順次読み出し、これを補間フィルタ１１３に供給する。
【００５８】
補間フィルタ１１３は、水平変換メモリ１１０から読み出された映像信号の２倍のサンプリング周波数にて、かかる映像信号の補間を行って得られた映像信号ＶＨをＨＰＦ（ｈｉｇｈ  ｐａｓｓ  ｆｉｌｔｅｒ）１１４に供給する。すなわち、補間フィルタ１１３は、画像の水平方向における解像度を７２０画素から１４４０画素に増加させた、１４４０画素（水平）×９６０画素（垂直）なる解像度を有する映像信号ＶＨをＨＰＦ１１４に供給するのである。
【００５９】
ＬＰＦ１１２は、上記補間フィルタ１１１から供給された映像信号ＶＬに対してその折り返しノイズを低減させるべきフィルタリング処理を施して合成回路１１５に供給する。
ＨＰＦ１１４は、上記補間フィルタ１１３から供給された映像信号ＶＨに対してその折り返しノイズを低減させるべきフィルタリング処理を施して合成回路１１５に供給する。
【００６０】
合成回路１１５は、ＬＰＦ１１２にてフィルタリング処理の施された映像信号ＶＬと、ＨＰＦ１１４にてフィルタリング処理の施された映像信号ＶＨとを合成して得られた映像信号ＶＳＤを解像度変換回路１１６に供給する。すなわち、合成回路１１５は、図６に示す周波数帯域（ｆＬＬ＋ｆＬＨ）に属する１４４０画素（水平）×９６０画素（垂直）の映像信号ＶＬと、周波数帯域（ｆＨＬ＋ｆＨＨ）に属する１４４０画素（水平）×９６０画素（垂直）の映像信号ＶＨとを合成することにより、１４４０画素（水平）×９６０画素（垂直）の映像信号ＶＳＤを得るのである。
【００６１】
解像度変換回路１１６は、かかる映像信号ＶＳＤを１９２０画素（水平）×１０８０画素（垂直）なる解像度を有する映像信号に変換して得られた映像信号をハイビジョンの再生映像信号として出力する。
以上の如く、図３に示す情報記録再生装置では、入力映像信号を、水平方向周波数及び垂直方向周波数に基づく複数の周波数帯域毎に分割し、夫々その解像度を低下させてから圧縮符号化して記録媒体に記録するようにしている。そして、かかる記録媒体から記録情報を再生する際には、再生された圧縮映像信号の各々に対して個別に復号化処理を施し、これらを合成することにより元の入力映像信号を復元するようにしている。
【００６２】
よって、図１に示す情報記録再生装置と同様に、ＭＰＥＧ２方式よりも高圧縮化が可能なＭＰＥＧ４符号器を用いることが可能となるので、高画質な映像信号の長時間録画が為されるようになる。
尚、上記実施例においては、映像信号を圧縮符号化する符号化方式としてＭＰＥＧ４方式を採用しているが、この方式に限定されるものではなく、他の高圧縮符号化方式を採用しても良い。
【図面の簡単な説明】
【図１】本発明による情報記録再生装置の構成を示す図である。
【図２】入力映像信号の解像度、並びに解像度変換後の画像フレームを４分割した際の分割領域Ｅａ〜Ｅｄを示す図である。
【図３】本発明による情報記録再生装置の他の構成を示す図である。
【図４】垂直変換メモリ２４及び２６、並びに水平変換メモリ１０８及び１１０における映像信号の記録形態を示す図である。
【図５】水平変換メモリ３２ａ〜３２ｄ、並びに垂直変換メモリ１０１ａ〜１０１ｄにおける映像信号の記録形態を示す図である。
【図６】入力映像信号を画像の垂直方向に対する周波数及び水平方向に対する周波数にて４分割する際の周波数帯域ｆＬＬ、ｆＬＨ、ｆＨＬ、及びｆＨＨ各々を表す図である。
【符号の説明】
１、１４  ＬＰＦ
３  画像領域分割回路
１２  画像連結回路
２１  水平方向ＬＰＦ
２２  水平方向ＨＰＦ
２７、２９  垂直方向ＬＰＦ
２８、３０  垂直方向ＨＰＦ
【図１】
2004214861.tif 000003
【図２】
2004214861.tif 000004
【図３】
2004214861.tif 000005
【図４】
2004214861.tif 000006
【図５】
2004214861.tif 000007
【図６】
2004214861.tif 000008